(57)【要約】【課題】予備発光を行う状況で適切に撮影する撮像装置を提供すること。【解決手段】撮像装置は、撮影補助光を発する発光装置１１９へ発光指示する発光指示手段１０１と、測光情報を取得する測光手段１１７と、撮影光学系の焦点調節状態を検出する第１焦点検出手段１１８と、発光装置１１９が発光指示に応じて撮影時の本発光に先だつ予備発光をするタイミングで、本発光の発光量を演算するために必要な測光情報を測光手段１１７に取得させるとともに、第１焦点検出手段１１８に焦点調節状態を検出させる制御手段１０１と、を備えることを特徴とする。【選択図】図２
2012073334.tif 000002
【特許請求の範囲】
【請求項１】
撮影補助光を発する発光装置へ発光指示する発光指示手段と、
測光情報を取得する測光手段と、
撮影光学系の焦点調節状態を検出する第１焦点検出手段と、
前記発光装置が前記発光指示に応じて撮影時の本発光に先だつ予備発光をするタイミングで、前記本発光の発光量を演算するために必要な測光情報を前記測光手段に取得させるとともに、前記第１焦点検出手段に前記焦点調節状態を検出させる制御手段と、
を備えることを特徴とする撮像装置。
【請求項２】
請求項１に記載の撮像装置において、
前記撮影光学系の像面に配置されるとともに焦点検出用の画素列を有する撮像素子をさらに備え、
前記第１焦点検出手段は、前記撮像素子が前記撮影光学系を通して撮像した出力信号であって前記焦点検出用の画素列からの信号を用いて一対の像の位相差情報を演算し、該位相差情報に基づいて前記撮影光学系による焦点調節状態を検出することを特徴とする撮像装置。
【請求項３】
請求項２に記載の撮像装置において、
前記測光手段は、前記撮像素子の撮像用の画素からの信号を用いて測光情報を取得することを特徴とする撮像装置。
【請求項４】
請求項１〜３のいずれか一項に記載の撮像装置において、
前記撮影光学系の焦点調節状態を検出する第２焦点検出手段をさらに有し、
前記制御手段は、前記発光装置が前記予備発光する前に前記第２焦点検出手段に前記焦点調節状態を検出させ、前記第１焦点検出手段が検出した第１焦点調節状態および前記第２焦点検出手段が検出した第２焦点調節状態に基づいて前記撮影光学系の焦点調節を行うことを特徴とする撮像装置。
【請求項５】
請求項４に記載の撮像装置において、
前記制御手段は、前記第１焦点調節状態を示す第１コントラスト情報および前記第２焦点調節状態を示す第２コントラスト情報のうちコントラストが高い方の焦点調節状態に基づいて前記撮影光学系の焦点調節を行うことを特徴とする撮像装置。
【請求項６】
請求項４に記載の撮像装置において、
前記制御手段は、前記第２焦点調節状態に基づいて前記撮影光学系の焦点調節を行った後で前記第１焦点検出手段が検出した第１焦点調節状態によるデフォーカス量が所定値より大きい場合に、前記第１焦点調節状態に基づいて前記撮影光学系の焦点調節を行うことを特徴とする撮像装置。
【請求項７】
請求項４または６に記載の撮像装置において、
前記制御手段は、前記発光装置が前記予備発光する前に前記第２焦点検出手段に前記焦点調節状態を検出させるとともに前記測光手段に測光情報を取得させ、該測光情報が所定の判定閾値以下である場合に前記第１焦点調節状態に基づいて前記撮影光学系の焦点調節を行うことを特徴とする撮像装置。
【発明の詳細な説明】
【技術分野】
【０００１】
本発明は、撮像装置に関する。
【背景技術】
【０００２】
低輝度下で撮影光学系による焦点調節状態を検出するため、ＡＦ（自動焦点調節）用光源を発光させる技術が知られている（特許文献１参照）。一般に、ＡＦ用光源が必要な場合は撮影時の撮影補助光も必要である。この場合、ＡＦ用光源の発光とは別に撮影補助光源から予備発光が行われる。予備発光は、撮影補助光の発光量を決定するために撮影前に行われる小光量の発光をいう。
【先行技術文献】
【特許文献】
【０００３】
【特許文献１】特開昭６１−２６７７４１号公報
【発明の概要】
【発明が解決しようとする課題】
【０００４】
ＡＦ用光源の発光と撮影補助光源による予備発光とを分けて行うと、消費電力が増える点、撮影までの時間がかかる点において問題となる。
【課題を解決するための手段】
【０００５】
本発明による撮像装置は、撮影補助光を発する発光装置へ発光指示する発光指示手段と、測光情報を取得する測光手段と、撮影光学系の焦点調節状態を検出する第１焦点検出手段と、発光装置が発光指示に応じて撮影時の本発光に先だつ予備発光をするタイミングで、本発光の発光量を演算するために必要な測光情報を測光手段に取得させるとともに、第１焦点検出手段に焦点調節状態を検出させる制御手段と、を備えることを特徴とする。
【発明の効果】
【０００６】
本発明による撮像装置では、予備発光を行う状況で適切に撮影できる。
【図面の簡単な説明】
【０００７】
【図１】図１は、本発明の一実施の形態による電子カメラを例示する図である。
【図２】電子カメラの構成例を説明するブロック図である。
【図３】撮像素子の詳細な構成を示す正面図である。
【図４】撮像用画素のみを拡大した断面図である。
【図５】焦点検出用画素のみを拡大した断面図である。
【図６】撮像素子ＡＦによる瞳分割型位相差検出方法を説明する図である。
【図７】発光スイッチがオン操作されているＣＰＵが実行する撮影処理の流れを説明するフローチャートである。
【発明を実施するための形態】
【０００８】
以下、図面を参照して本発明を実施するための形態について説明する。図１は、本発明の一実施の形態による電子カメラを例示する図である。図１において、カメラ本体２０１に対して着脱可能に構成される撮影レンズ鏡筒２０２が装着されている。
【０００９】
被写体からの光は、撮影レンズ鏡筒２０２の撮影光学系２１０および絞り２１１を介してカメラ本体２０１へ入射される。カメラ本体２０１に入射した被写体光は、メカニカルシャッター２０３を介して撮像素子２１２へ導かれ、その撮像面上に被写体像を結像する。撮像素子２１２は、画素に対応する複数の光電変換素子を備えたＣＭＯＳイメージセンサなどによって構成される。撮像素子２１２は、撮像面上に結像されている被写体像を撮像し、被写体像の明るさに応じた光電変換信号を出力する。なお、撮像素子２１２の撮像面側に光学ローパスフィルター２１３が設けられている。
【００１０】
光学系駆動機構２１４は、撮影光学系２１０を構成するフォーカス調節レンズを光軸方向に進退移動させる。フォーカス調節レンズの移動方向および移動量は、カメラ本体２０１側から制御される。なお、図を簡単にするため、撮影光学系２１０を単レンズとして表している。光学系駆動機構２１４はさらに、絞り２１１の口径を変化させる。
【００１１】
撮影者は、接眼光学系２０９を介してEVF１０９が表示する被写体像を観察する。ＣＰＵ１０１は、撮像素子２１２で得られた撮像信号（光電変換信号）に基づく再生画像をEVF１０９に表示させる。
【００１２】
図２は、上述した電子カメラの構成例を説明するブロック図である。電子カメラは、ＣＰＵ１０１によってカメラ動作が制御される。ＣＰＵ１０１は、内蔵する不揮発メモリ１０１ａに記憶されているプログラムを実行して制御処理を行う。操作部材１１４は、レリーズボタン、ズームスイッチ、およびモード切替スイッチなどを含み、各操作スイッチからの操作信号をＣＰＵ１０１へ出力する。
【００１３】
撮像処理回路１１５は、撮像素子２１２からの出力信号をデジタル画像データに変換し、該画像データに対して所定の画像処理を行う。画像処理は、γ変換処理やホワイトバランス調整処理などを含む。
【００１４】
コントラストＡＦ回路１１６は、撮像素子２１２の所定画素からの出力信号（画素データ）を用いてコントラスト検出を行う公知のコントラスト検出方式の焦点検出処理を行う。具体的には、上記フォーカス調節レンズ（２１０）を進退移動させながら画像のコントラスト情報を取得し、該コントラストが最大になるレンズ位置を探す。そして、該レンズ位置へフォーカス調節レンズを移動させることによってフォーカス調節を行う。
【００１５】
測光演算回路１１７は、撮像素子２１２の所定画素からの出力信号に基づいて測光演算を行う。位相差ＡＦ回路１１８は、撮像素子２１２の所定画素からの出力信号に基づいて像ズレ検出演算処理（相関処理、位相差検出処理）を施すことにより、いわゆる瞳分割型位相差検出方式（マイクロレンズ方式）で一対の像の像ズレ量を検出する。さらに、像ズレ量に所定の変換係数を乗ずることにより、予定焦点面に対する現在の結像面の偏差（デフォーカス量）を算出する。そして、該デフォーカス量に応じて上記フォーカス調節レンズの移動方向および移動量を演算する。像ズレ検出演算処理の詳細については後述する。
【００１６】
発光装置１１９は、キセノン管などの放電発光管と昇圧回路とを含む。ＣＰＵ１０１から昇圧開始信号が入力されると、昇圧回路がカメラ電源の電池（不図示）による電圧を昇圧（約３００Ｖ）し、主コンデンサを充電する。ＣＰＵ１０１から発光を指示する信号が送信されると、主コンデンサ内に蓄積した電気エネルギーをキセノン発光管を通じて放電させることにより、撮影補助光を発する。
【００１７】
ドライバ回路１０３は、ＣＰＵ１０１からの指令に応じてメカニカルシャッター２０３を駆動する。ドライバ回路１０４は、ＣＰＵ１０１からの指令に応じてレンズ鏡筒２０２側の光学系駆動機構２１４を駆動する。光学系駆動機構２１４に含まれるレンズ駆動部材がフォーカス調節レンズを進退駆動し、光学系駆動機構２１４に含まれる絞り駆動レバーが絞り２１１の口径を変化させる。
【００１８】
カラー液晶モニター１０８は、画像や操作メニューなどを表示する。表示制御部１０６は、ＣＰＵ１０１からの指令により、画像や操作メニューを表示するための画像信号に基づいて、カラー液晶モニター１０８に対する駆動信号を生成する。
【００１９】
EVF１０９は、ライブビュー画像と呼ばれるモニタ用画像などを表示する。モニタ用画像は、撮像素子２１２が所定のフレームレート（たとえば、３０フレーム／秒）で撮像して出力するモニタ表示用の撮像信号に基づく再生画像を逐次更新表示するものである。表示制御部１０７は、ＣＰＵ１０１からの指令により、モニタ表示用の撮像信号に基づいてEVF１０９に対する駆動信号を生成する。
【００２０】
メモリカード３００は、カードコネクター１１０を介して電子カメラに着脱されるデータ記録媒体である。メモリカード３００には画像データや音声データが記録される。メモリカード３００に記録されている画像データによる再生画像は、カラー液晶モニター１０８に表示したり、EVF１０９に表示することが可能に構成される。
【００２１】
画像記憶メモリ１１１は、画像処理、圧縮処理および伸長処理の際に一時的に画像データを格納する。圧縮／伸長回路１１２は、たとえば、ＪＰＥＧなど所定の方式で画像データを圧縮処理したり、圧縮された画像データを伸長処理したりする。メモリ１１３は、ＣＰＵ１０１の作業領域として利用される。
【００２２】
＜位相差ＡＦ処理＞
位相差ＡＦ回路１１８で行うＡＦ（自動焦点調節）処理について詳細に説明する。本実施形態の撮像素子２１２は、フォーカス検出用の画素（焦点検出用画素と呼ぶ）を有する。この撮像素子２１２は、特開２００７−２７９３１２号公報に記載されている撮像素子と同様のものである。位相差ＡＦ回路１１８は、焦点検出用画素からの画素出力データを用いて位相差検出演算を行うことにより、焦点検出処理を行う。
【００２３】
図３は、撮像素子２１２の詳細な構成を示す正面図である。撮像素子２１２には、撮像用画素３１０が二次元状に配列されている。そして、後述する測距エリアに対応する部分に焦点検出用画素３１１が配列されている。図３の例では、撮像面の略中央に焦点検出用画素列が水平方向に並ぶ。図４は、撮像用画素のみを拡大した断面図であり、図５は、焦点検出用画素のみを拡大した断面図である。
【００２４】
図４において、撮像用画素３１０は、マイクロレンズ１０と撮像用の光電変換部１１を備える。マイクロレンズ１０は光電変換部１１の前方（図４において左側）に配置され、光電変換部１１は撮像素子２１２内の半導体回路基板（不図示）上に形成される。
【００２５】
図５において、焦点検出用画素３１１は、マイクロレンズ１０と焦点検出用の一対の光電変換部１２および光電変換部１３を備える。両光電変換部１２、１３は、それぞれがマイクロレンズ１０の中央に対して対称に配置される。マイクロレンズ１０は光電変換部１２、１３ の前方（図５において左側）に配置され、光電変換部１２、１３は撮像用画素３１０の光電変換部１１と同一の半導体回路基板上に形成される。なお、上記マイクロレンズ１０は、撮影光学系２１０の焦点面近傍に配置される。
【００２６】
図６は、撮像素子ＡＦによる瞳分割型位相差検出方法を説明する図であり、焦点検出用画素３１１の一部（マイクロレンズ５０、６０ と二対の光電変換部５２・５３、６２・６３）を図示したものである。射出瞳９０は、撮影光学系２１０の焦点面位置に配置されたマイクロレンズ５０、６０から前方（図６において左側）の距離ｄ４に投影される射出瞳である。距離ｄ４は、マイクロレンズ１０（５０、６０）の曲率、屈折率、およびマイクロレンズ１０（５０、６０）と光電変換部１２、１３との間の距離などに応じて決まる距離であり、測距瞳距離と呼ぶ。
【００２７】
光軸９１は、撮影光学系２１０の光軸である。測距瞳９２は、マイクロレンズ５０、６０および光電変換部５２、６２ に対応する測距瞳であり、測距瞳９３は、マイクロレンズ５０、６０および光電変換部５３、６３に対応する測距瞳である。一対の測距瞳領域９２、９３を通過した二対の焦点検出用被写体光束７２・７３、８２・８３は、それぞれマイクロレンズ５０、６０を介して二対の光電変換部５２・５３、６２・６３に到達する。図６では、光軸９１上にある焦点検出用画素３１１(マイクロレンズ５０と一対の光電変換部５２・５３）と、光軸９１外にある焦点検出用画素３１１（マイクロレンズ６０と一対の光電変換部６２・６３）を模式的に例示しているが、その他の焦点検出用画素３１１においても一対の測距瞳から各マイクロレンズに到来する焦点検出用光束を一対の光電変換部でそれぞれ受光する。なお、焦点検出用画素３１１の配列方向（図３において水平方向）は、一対の測距瞳の分割方向（図６において上下方向）と一致させる。
【００２８】
上述した構成を有することにより、焦点検出用画素は、特開２００７−２７９３１２号公報に記載されるように、それぞれ瞳分割された光束が入射されることになる。具体的には、光電変換部１２、１３には、それぞれマイクロレンズ１０の片半面を通過した光束のみが受光される。たとえば、光電変換部５２、６２には、測距瞳９２からの光束（Ａ成分と呼ぶ）のみが入射される。一方、光電変換部５３、６３には、測距瞳９３からの光束（Ｂ成分と呼ぶ）のみが入射される。
【００２９】
この結果、Ａ成分の光束が入射される光電変換部５２、６２、…から得られる画素出力（Ａ成分のデータ列）は、撮影光学系２１０の測距瞳９２から入射された光束による像を表し、Ｂ成分の光束が入射される光電変換部５３、６３、…から得られる画素出力（Ｂ成分のデータ列）は、測距瞳９３から入射された光束による像を表す。
【００３０】
Ａ成分による被写体像、およびＢ成分による被写体像からなる一対の被写体像は、撮影光学系２１０が予定焦点面よりも前に被写体の鮮鋭像を結ぶいわゆる前ピン状態では互いに近づき、逆に予定焦点面より後ろに被写体の鮮鋭像を結ぶいわゆる後ピン状態では互いに遠ざかる。予定焦点面において被写体の鮮鋭像を結ぶ合焦状態には、上記一対の像が相対的に一致する。したがって、一対の像の相対位置ズレ量を求めることにより、撮影光学系２１０のフォーカス調節状態、すなわちデフォーカス量が得られる。
【００３１】
位相差ＡＦ回路１１８は、Ａ成分のデータ列およびＢ成分のデータ列の相対的な位置関係をずらしながら、２つのデータ列間の像ズレ量（シフト量と呼ぶ）と、Ａ成分のデータ列とＢ成分のデータ列との相関度を演算する。相関値が最小となる（相関値が小さいほど２つのデータ列の相関度が高い）シフト量を求める演算は、公知の位相差検出演算による。
【００３２】
位相差ＡＦ回路１１８は、相関値を最小にするシフト量に所定係数を掛けることにより、デフォーカス量を求める。なお、デフォーカス量は測距エリアごとに異なる。また、デフォーカス量の検出精度は、像ズレ量の検出ピッチおよびマイクロレンズ１０の配列ピッチに依存する。位相差ＡＦ回路１１８は、デフォーカス量に基づいてフォーカス調節レンズ（２１０）の移動方向および移動量を演算する。
【００３３】
本実施形態は、発光装置１１９が発する撮影補助光を用いた撮影処理に特徴を有するので、以降の説明は、撮影補助光を用いる撮影処理を中心に行う。撮影者は、たとえば暗い場所での撮影時や、主要被写体に比べて背景が明るい場合の撮影時に、操作部材１１４を構成する発光スイッチ（不図示）をオン操作する。
【００３４】
図７は、発光スイッチがオン操作されているＣＰＵ１０１が実行する撮影処理の流れを説明するフローチャートである。ＣＰＵ１０１は、レリーズボタンの半押し操作を示す操作信号が操作部材１１４から入力された場合に図７による処理を起動する。
【００３５】
図７のステップＳ１において、ＣＰＵ１０１はコントラストＡＦ回路１１６へ指示を送り、撮像素子２１２の撮像用画素３１０からの出力信号（画素データ）を用いてコントラスト検出方式の焦点検出処理を行わせる。具体的には、撮像素子２１２にモニタ画像用のフレームレートで撮像を行わせ、取得した撮像信号に基づくライブビュー画像をEVF１０９に表示させる。ライブビュー画像の取得とともに撮影光学系２１０のフォーカス調節レンズを光軸方向にスキャンさせて（たとえば、至近端位置から無限遠端位置へ向かう向き）、画像のコントラストが最大になるレンズ位置を探し、このレンズ位置へフォーカス調節レンズを移動させる。なお、ＣＰＵ１０１は測光演算回路１１７へ指示を送り、モニタ用画像の撮像信号のうち撮像用画素３１０からの出力信号（画素データ）を用いて測光演算を行わせる。
【００３６】
ステップＳ２において、ＣＰＵ１０１は、レリーズボタンが全押し操作されたか否かを判定する。ＣＰＵ１０１は、レリーズボタンの全押し操作を示す操作信号が操作部材１１４から入力された場合に、ステップＳ２を肯定判定してステップＳ３へ進む。ＣＰＵ１０１は、レリーズボタンの全押し操作を示す操作信号が操作部材１１４から入力されない場合には、ステップＳ２を否定判定してステップＳ７へ進む。
【００３７】
ステップＳ７において、ＣＰＵ１０１はタイムアウト判定を行う。ＣＰＵ１０１は、半押し操作後の経過時間が所定時間（たとえば５秒）に達した場合にステップＳ７を肯定判定して図７による処理を終了する。ＣＰＵ１０１は、半押し操作後の経過時間が所定時間に達していない場合には、ステップＳ７を否定判定してステップＳ２へ戻る。
【００３８】
ステップＳ３において、ＣＰＵ１０１は発光装置１１９へ指示を送り、プリ発光（予備発光ともいう）を指示してステップＳ４へ進む。プリ発光は、撮影時に必要な発光量（本発光量という）を算出するために撮影前に小光量で行う発光のことをいう。
【００３９】
ステップＳ４において、ＣＰＵ１０１は、撮像素子２１２に上記プリ発光タイミングに合わせてモニタ用画像を取得させる。ＣＰＵ１０１は位相差ＡＦ回路１１８へ指示を送り、プリ発光時に取得された焦点検出用画素３１１からの撮像信号を用いて位相差検出方式によるデフォーカス量を算出させる。ＣＰＵ１０１はさらに、測光演算回路１１７へ指示を送り、上記プリ発光時に取得された撮像用画素３１０からの撮像信号を用いて測光演算を行わせる。ＣＰＵ１０１は、プリ発光前に取得した撮像信号による測光演算結果と、プリ発光時に取得した撮像信号による測光演算結果との差に基づいて本発光量を演算し（調光演算）、ステップＳ５へ進む。
【００４０】
ステップＳ５において、ＣＰＵ１０１は、ステップＳ１で得たＡＦ結果およびステップＳ４で得たＡＦ結果のうちから採用すべきＡＦ結果を決定してステップＳ６へ進む。具体的には、コントラストＡＦ回路１１６による演算結果に基づいて駆動後のフォーカス調節レンズ（２１０）の位置を基準にして、プリ発光時の撮像信号を用いて位相差ＡＦ回路１１８が演算したデフォーカス量が所定値を超える場合は、ステップＳ４で得たＡＦ結果（すなわち、位相差ＡＦ回路１１８が演算したフォーカス調節レンズ（２１０）の移動方向および移動量）を採用する。これとは反対に、位相差ＡＦ回路１１８がプリ発光時の撮像信号を用いて演算したデフォーカス量が所定値を超えない（許容深度内にある）場合は、ステップＳ１で得たＡＦ結果（すなわち、コントラストＡＦ回路１１６による演算結果に基づいて駆動したフォーカス調節レンズ（２１０）の位置）を採用する。
【００４１】
なお、ＣＰＵ１０１は、コントラストＡＦ回路１１６で演算に用いた撮像用画素３１０からの出力信号（画素データ）が所定の信号レベル（低輝度判定閾値）以下の場合も、ステップＳ１で得たＡＦ結果（すなわち、コントラストＡＦ回路１１６による演算結果に基づいて駆動したフォーカス調節レンズ（２１０）の位置）を採用する。
【００４２】
ステップＳ６において、ＣＰＵ１０１は発光装置１１９へ指示を送り、ステップＳ４で演算した本発光量による本発光を指示するとともに、撮像素子２１２に上記本発光タイミングに合わせて撮影用画像を取得させる。ＣＰＵ１０１は、取得画像に所定の画像処理を施し、該処理後のデータをメモリカード３００には記録すると、図７による処理を終了する。
【００４３】
以上説明した実施形態によれば、次の作用効果が得られる。
（１）電子カメラは、撮影補助光を発する発光装置１１９へ発光指示するＣＰＵ１０１と、測光情報を取得する測光演算回路１１７と、撮影光学系２１０の焦点調節状態を検出する位相差ＡＦ回路１１８と、発光装置１１９が発光指示に応じて撮影時の本発光に先だつ予備発光をするタイミングで、本発光の発光量を演算するために必要な測光情報を測光演算回路１１７に取得させるとともに、位相差ＡＦ回路１１８に焦点調節状態を検出させるＣＰＵ１０１と、を備えるようにしたので、予備発光を行う状況で適切に撮影することができる。
【００４４】
具体的には、ＡＦ用光源の発光と撮影補助光源による予備発光とを分けて行う場合に比べて消費電力を少なくできる。さらに、予備発光時に撮像素子２１２で得られるデータを用いて焦点調節状態を検出するので、予備発光によりカメラに近い被写体が照明され、該被写体に対するＳ／Ｎ比が向上することから、検出精度を高めることができる。
【００４５】
（２）上記（１）の電子カメラにおいて、位相差ＡＦ回路１１８は、撮影光学系２１０の像面に配置されるとともに焦点検出用の画素列３１１を含む撮像素子２１２を含み、該撮像素子２１２が撮影光学系２１０を通して撮像した出力信号であって焦点検出用の画素列３１１からの信号を用いて一対の像の位相差情報を演算し、該位相差情報に基づいて撮影光学系２１０による焦点調節状態を検出するようにした。位相差検出方式によって焦点調節状態を検出するので、コントラスト検出方式により焦点調節状態を検出する場合と異なり、予備発光タイミングで焦点調節状態を検出できる。
【００４６】
（３）上記電子カメラにおいて、測光演算回路１１７は、撮像素子２１２の撮像用の画素３１０からの信号を用いて測光情報を取得するので、撮像素子２１２より画素サイズが小さい専用の測光用素子による検出信号に基づいて行う場合に比べてＳ／Ｎ比が向上することから、上記本発光量の演算精度を高めることができる。さらに、撮像素子２１２より画素数が少ない専用の測光用素子による検出信号に基づいて行う場合に比べて分解能が高まることからも、上記本発光量の演算精度を高めることができる。
【００４７】
（４）上記電子カメラにおいて、撮影光学系２１０の焦点調節状態を検出するコントラストＡＦ回路１１６をさらに有し、ＣＰＵ１０１は、発光装置１１９が予備発光する前にコントラストＡＦ回路１１６に焦点調節状態を検出させ、位相差ＡＦ回路１１８が検出した第１焦点調節状態およびコントラストＡＦ回路１１６が検出した第２焦点調節状態に基づいて撮影光学系２１０の焦点調節を行うようにしたので、適切に焦点調整を行い得る。
【００４８】
（５）上記（４）の電子カメラにおいて、ＣＰＵ１０１は、第２焦点調節状態に基づいて撮影光学系２１０の焦点調節を行った後で位相差ＡＦ回路１１８が検出した第１焦点調節状態によるデフォーカス量が所定値より大きい場合に、第１焦点調節状態に基づいて撮影光学系の焦点調節を行うようにしたので、被写体が移動する場合でも最新の検出情報に基づいて焦点調節できる。
【００４９】
（６）上記（４）または（５）の電子カメラにおいて、ＣＰＵ１０１は、発光装置１１９が予備発光する前にコントラストＡＦ回路１１６に焦点調節状態を検出させるとともに測光演算回路１１７に測光情報を取得させ、該測光情報が所定の判定閾値以下である場合に第１焦点調節状態に基づいて撮影光学系２１０の焦点調節を行うようにしたので、暗い状況でも適切に焦点調節できる。
【００５０】
（変形例１）
上述した実施形態では、発光スイッチがオン操作されている場合に図７に例示した処理を行う例を説明した。この代わりに、発光装置１１９による撮影補助光の要否を自動的に決定するオートモードに電子カメラが設定されている場合のＣＰＵ１０１は、測光演算結果に応じてプリ発光するか否かを決定してもよい。測光演算は、ステップＳ１において取得されたモニタ用画像の撮像信号に基づいて測光演算回路１１７が行う。この場合のＣＰＵ１０１は、測光結果が所定輝度値未満の場合にステップＳ３以降の処理を行い、上述の場合と同様の処理を行う。一方、測光結果が所定輝度値以上の場合は、プリ発光も本発光も行わずに位相差検出によるＡＦ処理および撮影を行って図７による処理を終了する。
【００５１】
（変形例２）
上記ステップＳ５の代わりに、コントラストＡＦ回路１１６が取得したコントラストと、位相差ＡＦ回路１１８が取得したコントラストとを比較し、コントラストが大きい方のＡＦ回路で演算されたフォーカス調節レンズ（２１０）の位置を採用するようにしてもよい。この場合のＣＰＵ１０１は、位相差ＡＦ回路１１８が取得したＡ成分のデータ列またはＢ成分のデータ列と、コントラストＡＦ回路１１６が取得したコントラスト変化（いわゆる山のぼり波形）を示すデータ列とを比較する。そして、比較の結果、より大きなコントラストが得られるＡＦ回路で演算された結果を採用する。
【００５２】
（変形例３）
なお、変形例２において、位相差ＡＦ回路１１８が取得したＡ成分のデータ列またはＢ成分のデータ列と、コントラストＡＦ回路１１６が取得したコントラスト変化を示すデータ列のうち一方が飽和している（所定の飽和判定閾値を超えている）場合は、飽和していない方のＡＦ回路で演算された結果を採用するとよい。
【００５３】
（変形例４）
上記実施形態では、一眼レフタイプでない電子カメラを例に説明したが、一眼レフタイプの電子カメラに本発明を採用してもよい。一般に、レリーズボタンが全押し操作される前の一眼レフ電子カメラはクイックリターンミラーがダウン状態にあり、位相差検出方式による専用の焦点検出モジュールによって焦点検出処理が行われる。そこで、上記ステップＳ１のコントラスト検出方式によるＡＦ処理の代わりに、専用の焦点検出モジュールによる焦点検出処理を行う。また、測光演算は、専用の測光用素子による測光結果に基づいて行う。
【００５４】
また、変形例４のＣＰＵ１０１は、ステップＳ３でプリ発光を指示するとともにクイックリターンミラーのアップ駆動を指示する。そしてステップＳ４において、撮像素子２１２にプリ発光タイミングに合わせて位相差検出用画像を取得させる。ＣＰＵ１０１は位相差ＡＦ回路１１８へ指示を送り、プリ発光時に取得された焦点検出用画素３１１からの撮像信号を用いて位相差検出方式によるデフォーカス量を算出させる。ＣＰＵ１０１はさらに、測光演算回路１１７へ指示を送り、上記プリ発光時に取得された撮像用画素３１０からの撮像信号を用いて測光演算を行わせる。ＣＰＵ１０１は、プリ発光前に専用の測光用素子を用いた測光演算結果と、プリ発光時に取得した撮像信号による測光演算結果との差に基づいて本発光量を演算する（調光演算）。
【００５５】
以上変形例４によれば、一眼レフタイプの電子カメラにも本発明を適用でき、撮影補助光を用いる撮影の応答性をよくすることができる。
【００５６】
（変形例５）
発光装置１１９は、電子カメラに内蔵されるタイプでも、外付けタイプでも構わない。
【００５７】
以上の説明はあくまで一例であり、上記の実施形態の構成に何ら限定されるものではない。
【符号の説明】
【００５８】
１０１…ＣＰＵ
１０１ａ…不揮発性メモリ
１０７…表示制御部
１０９…EVF
１１４…操作部材
１１５…撮像処理回路
１１６…コントラストＡＦ回路
１１７…測光演算回路
１１８…位相差ＡＦ回路
１１９…発光装置
２０１…カメラ本体
２０２…撮影レンズ鏡筒
２０９…接眼光学系
２１２…撮像素子
【図１】
2012073334.tif 000003
【図２】
2012073334.tif 000004
【図３】
2012073334.tif 000005
【図４】
2012073334.tif 000006
【図５】
2012073334.tif 000007
【図６】
2012073334.tif 000008
【図７】
2012073334.tif 000009